(57)【要約】【課題】シャフト挿入孔に吊上シャフトを容易に挿入することが可能なロール保持盤の提供を目的とする。【解決手段】本発明のロール保持盤１０は、保護プレート１１から前方に突出した支持筒部３０を備え、保護プレート１１と支持筒部３０とに、吊上シャフト８０が挿入されるシャフト挿入孔２０が形成されている。支持筒部３０の前端部からは、内側後方に折り返され、後側に向かうにつれて縮径されたテーパ壁３５が設けられ、支持筒部３０の内周面３０Ｍからは、前後方向に延びた複数の内側傾斜リブ３２が突出している。内側傾斜リブ３２は、テーパ壁３５より後側から前方に延び、テーパ壁３５に近づくにつれて突出量が大きくなって、シャフト挿入孔２０に後方から挿入された吊上シャフト８０をテーパ壁３５の内側に案内する。【選択図】図４
2015183820.tif 000002
【特許請求の範囲】
【請求項１】
ロールの端面を覆う保護プレートと、前記保護プレートから前方に突出して前記ロールの芯材に挿通される支持突部とを備え、前記保護プレートと前記支持突部とに、前記芯材を貫通して前記ロールを吊り上げるための吊上シャフトが挿入されるシャフト挿入孔が形成されたロール保持盤において、
前記支持突部の前端部から前記シャフト挿入孔の内側後方に折り返されて縮径されたテーパ壁と、
前記シャフト挿入孔の内周面から突出しかつ前記テーパ壁より後側から前方に延び、前記テーパ壁に近づくにつれて突出量が大きくなって前記シャフト挿入孔に後方から挿入される吊上シャフトを前記テーパ壁の内側に案内する複数の内側傾斜リブと、を備えたことを特徴とするロール保持盤。
【請求項２】
前記テーパ壁の後端部のうち周方向で隣り合う前記内側傾斜リブに挟まれる部分には、全ての前記内側傾斜リブの頂点部を通る円筒面よりも外側に凹んだ逃がし部が設けられたことを特徴とする請求項１に記載のロール保持盤。
【請求項３】
ロールの端面を覆う保護プレートと、前記保護プレートから前方に突出して前記ロールの芯材に挿通される支持突部とを備え、前記保護プレートと前記支持突部とに、前記芯材を貫通して前記ロールを吊り上げるための吊上シャフトが挿入されるシャフト挿入孔が形成されたロール保持盤において、
前記シャフト挿入孔の内周面から突出して前後方向に延び、前記シャフト挿入孔の前端寄り位置に向かって、その前端寄り位置の前後両側から突出量が徐々に大きくなった複数のガイドリブと、
前記支持突部の前端寄り位置で前記シャフト挿入孔の内周面から突出しかつ複数の前記ガイドリブを横切り、突出量が前記ガイドリブを越えない大きさの環状リブと、を備えたことを特徴とするロール保持盤。
【請求項４】
前記支持突部の外周面のうち前記内側傾斜リブ又は前記ガイドリブと同じ周位置に複数の外側リブを形成したことを特徴とする請求項１乃至３のうち何れかの請求項に記載のロール保持盤。
【発明の詳細な説明】
【技術分野】
【０００１】
本発明は、ロールの端面を覆う保護プレートと、保護プレートから突出してロールの芯材に挿通される支持突部と、を備え、保護プレートと支持突部とに、芯材を貫通してロールを吊り上げるための吊上シャフトが挿入されるシャフト挿入孔が形成されたロール保持盤に関する。
【背景技術】
【０００２】
従来、この種のロール保持盤として、支持突部の先端部に、シャフト挿入孔の内側へ張り出した環状フランジ壁が形成されたものが知られている（例えば、特許文献１参照）。
【先行技術文献】
【特許文献】
【０００３】
【特許文献１】特許３６６７３５５号公報（段落［００２５］、図１及び図４）
【発明の概要】
【発明が解決しようとする課題】
【０００４】
しかしながら、上述した従来のロール保持盤では、吊上シャフトを挿入するときに、吊上シャフトが環状フランジ壁と干渉して、吊上シャフトの挿入が困難になるという問題があった。
【０００５】
本発明は、上記事情に鑑みてなされたもので、シャフト挿入孔に吊上シャフトを容易に挿入することが可能なロール保持盤の提供を目的とする。
【課題を解決するための手段】
【０００６】
上記目的を達成するためになされた請求項１の発明に係るロール保持盤は、ロールの端面を覆う保護プレートと、保護プレートから前方に突出してロールの芯材に挿通される支持突部とを備え、保護プレートと支持突部とに、芯材を貫通してロールを吊り上げるための吊上シャフトが挿入されるシャフト挿入孔が形成されたロール保持盤において、支持突部の前端部からシャフト挿入孔の内側後方に折り返されて縮径されたテーパ壁と、シャフト挿入孔の内周面から突出しかつテーパ壁より後側から前方に延び、テーパ壁に近づくにつれて突出量が大きくなってシャフト挿入孔に後方から挿入される吊上シャフトをテーパ壁の内側に案内する複数の内側傾斜リブと、を備えたところに特徴を有する。
【０００７】
請求項２の発明は、請求項１に記載のロール保持盤において、テーパ壁の後端部のうち周方向で隣り合う内側傾斜リブに挟まれる部分には、全ての内側傾斜リブの頂点部を通る円筒面よりも外側に凹んだ逃がし部が設けられたところに特徴を有する。
【０００８】
請求項３の発明に係るロール保持盤は、ロールの端面を覆う保護プレートと、保護プレートから前方に突出してロールの芯材に挿通される支持突部とを備え、保護プレートと支持突部とに、芯材を貫通してロールを吊り上げるための吊上シャフトが挿入されるシャフト挿入孔が形成されたロール保持盤において、シャフト挿入孔の内周面から突出して前後方向に延び、シャフト挿入孔の前端寄り位置に向かって、その前端寄り位置の前後両側から突出量が徐々に大きくなった複数のガイドリブと、支持突部の前端寄り位置でシャフト挿入孔の内周面から突出しかつ複数のガイドリブを横切り、突出量がガイドリブを越えない大きさの環状リブと、を備えたところに特徴を有する。
【０００９】
請求項４の発明は、請求項１乃至３のうち何れかの請求項に記載のロール保持盤において、支持突部の外周面のうち内側傾斜リブ又はガイドリブと同じ周位置に複数の外側リブを形成したところに特徴を有する。
【発明の効果】
【００１０】
［請求項１の発明］
請求項１の発明では、テーパ壁によって支持突部の前端部の補強が図られる。しかも、シャフト挿入孔に前方から吊上シャフトが挿入されるときには、テーパ壁を案内にして吊上シャフトを挿入することができる。また、シャフト挿入孔に後方から吊上シャフトが挿入されるときには、内側傾斜リブを案内にして吊上シャフトを挿入することができる。ここで、内側傾斜リブは、シャフト挿入孔の後方から挿入された吊上シャフトをテーパ壁の内側に案内するので、内側傾斜リブに案内された吊上シャフトがテーパ壁と干渉することが防がれる。このように、本発明によれば、テーパ壁によって支持突部の前端部の補強を図ると共に、内側傾斜リブを案内にして、吊上シャフトの挿入を容易に行うことが可能となる。しかも、本発明では、テーパ壁を、吊上シャフトの案内に兼用することができる。
【００１１】
［請求項２の発明］
請求項２の発明によれば、吊上シャフトがシャフト挿入孔に後方から挿入されるときに、吊上シャフトが周方向で隣り合う内側傾斜リブの間に一部挟まった状態になっても、その吊上シャフトの外周面より外側にテーパ壁の逃がし部を配置して、吊上シャフトとテーパ壁の干渉を抑えることが可能となる。
【００１２】
［請求項３の発明］
請求項３の発明では、支持突部の前端寄り位置でシャフト挿入孔の内周面から突出した環状リブによって支持突部の前端部の補強が図られる。また、本発明では、シャフト挿入孔の前側、後側の何れから吊上シャフトが挿入されても、ガイドリブによって吊上シャフトを環状リブの内側に案内することが可能となる。このように、本発明によれば、環状リブによって支持突部の補強を図ると共に、吊上シャフトの挿入を容易に行うことが可能となる。
【００１３】
［請求項４の発明］
請求項４の発明によれば、外側リブによって、内側傾斜リブ又はガイドリブの補強が図られる。また、ロール保持盤を樹脂の成形品とする場合には、支持突部のうち内側傾斜リブ又はガイドリブが設けられた部分で発生する樹脂のヒケによる外観不良を抑えることができる。
【図面の簡単な説明】
【００１４】
【図１】本発明の第１実施形態に係るロール保持盤の斜視図
【図２】ロール保持盤を後側から見た斜視図
【図３】ロール保持盤の一部破断斜視図
【図４】ロール保持盤の一部破断斜視図
【図５】段積みされたロール保持盤の側断面図
【図６】使用状態のロール保持盤の斜視図
【図７】後側から吊上シャフトが挿入されたときのロール保持盤の一部破断斜視図
【図８】前側から吊上シャフトが挿入されたときのロール保持盤の側断面図
【図９】（Ａ）前側から吊上シャフトが挿入されたときのロール保持盤の側断面図、（Ｂ）後側から吊上シャフトが挿入されたときのロール保持盤の側断面図
【図１０】テーパ壁を後側から見た図
【図１１】図１０における逃がし部周辺の拡大図
【図１２】本発明の第２実施形態に係るロール保持盤の斜視図
【図１３】段積みされたロール保持盤の側断面図
【図１４】本発明の第３実施形態に係るロール保持盤の一部破断斜視図
【図１５】ロール保持盤の一部破断斜視図
【図１６】（Ａ）後側から吊上シャフトが挿入されたときのロール保持盤の側断面図、（Ｂ）前側から吊上シャフトが挿入されたときのロール保持盤の側断面図
【図１７】（Ａ）変形例に係るロール保持盤の側断面図、（Ｂ）変形例に係るロール保持盤の側断面図
【図１８】変形例に係るテーパ壁を後側から見た図
【図１９】（Ａ）変形例に係るロール保持盤の側断面図、（Ｂ）変形例に係るロール保持盤の側断面図
【発明を実施するための形態】
【００１５】
［第１実施形態］
以下、本発明の第１実施形態を図１〜図１１に基づいて説明する。図１に示すように、本実施形態に係るロール保持盤１０は、樹脂成形品であって、保護プレート１１の中央部から支持筒部３０が前方に突出した構造をなしている。図２に示すように、保護プレート１１は、平面形状が略四角形状の主板１２と、主板１２の外縁部から後方に突出した包囲壁１３を備え、包囲壁１３に四方を囲まれた空間が複数のリブによって区画されている。
【００１６】
具体的には、図２に示すように、包囲壁１３に囲まれた空間の中央には、主板１２を貫通する中央円形孔１２Ａの開口縁から起立した円筒壁１６が設けられている。そして、包囲壁１３の各辺部の中央から中央連絡リブ１４Ａが主板１２の中央へ向かって突出し、円筒壁１６の外周部に連絡している。また、包囲壁１３の対向する辺部同士の間には、円筒壁１６を挟むように配置された１対のサイド連絡リブ１４Ｂ，１４Ｂが差し渡されている。即ち、円筒壁１６は、井の字状に配置された４つサイド連絡リブ１４Ｂに囲まれている。さらに、サイド連絡壁１４Ｂ，１４Ｂの交点からは、架橋リブ１７が主板１２の対角線方向に延びて円筒壁１６に連絡している。
【００１７】
また、包囲壁１３にて四方を囲まれた空間の外周部は、中央連絡壁１４Ａとサイド連絡壁１４Ｂとによって平面視四角形状の複数の部屋１３Ａに区画され、各部屋１３Ａには、部屋１３Ａの対向する隅部同士を連絡する補強リブ１５，１５が設けられている。なお、主板１２の各部屋１３Ａに対応する部分には、窓部１３Ｂが形成されている。
【００１８】
図４に示すように、主板１２のうち中央円形孔１２Ａの開口縁には、前側（即ち、円筒壁１６と反対側）に突出すると共に、中央円形孔１２Ａの内側に張り出した環状段差部１８が設けられている。そして、この環状段差部１８から、上述した支持筒部３０が円筒壁１６と反対側に突出している。そして、円筒壁１６と、中央円形孔１２Ａと、支持筒部３０とによって、本発明に係るシャフト挿入孔２０が構成されている。なお、本実施形態では、支持筒部３０が本発明の「支持突部」に相当する。
【００１９】
図２に示すように、円筒壁１６と環状段差部１８の内側には、複数の補強リブ１６Ｌが設けられている。詳細には、図４に示すように、複数の補強リブ１６Ｌは、円筒壁１６の後端部から円筒壁１６の軸方向に延びて環状段差部１８と当接し、各補強リブ１６Ｌの後端部には、後側へ向かうにつれて突出量が小さくなるように傾斜したテーパ部１６Ｋが形成されている。なお、複数の補強リブ１６Ｌは、円筒壁１６の周方向で等間隔に配置されている。
【００２０】
次に、支持筒部３０について説明する。図１に示すように、支持筒部３０の前端部の内側には、テーパ壁３５が設けられている。テーパ壁３５は、図３に示すように、支持筒部３０の前端から内側後方に折り返されるようにして形成され、後側（保護プレート１１側）へ向かうにつれて縮径された形状になっている。
【００２１】
図４に示すように、支持筒部３０の内周面３０Ｍからは、前後方向に延びた複数の内側傾斜リブ３２が突出している。内側傾斜リブ３２は、支持筒部３０における前後方向全体に亘って形成され、前端寄り位置に突出量が最も大きい頂点部３２Ａを有している。また、内側傾斜リブ３２のうち頂点部３２Ａより後側は、前方へ向かうにつれて突出量が大きくなる後方傾斜部３２Ｂになっていて、頂点部３２Ａより前側は、後方に向かうにつれて突出量が大きくなる前方傾斜部３２Ｃになっている。そして、内側傾斜リブ３２は、頂点部３２Ａにてテーパ壁３５の窄まった側の端部に連絡している。
【００２２】
図３に示すように、支持筒部３０の外周部には、前後方向に延びる外側リブ３１が複数設けられている。外側リブ３１は、支持筒部３０の前端部から後端部に亘って配置され、環状段差部１８に連絡している。
【００２３】
図４に示すように、複数の外側リブ３１は、複数の内側傾斜リブ３２と同じ周位置に配置されている。これにより、外側リブ３１と内側傾斜リブ３２とが、支持筒部３０の径方向で連続し、内側傾斜リブ３２の補強が図られる。また、上述したように、ロール保持盤１０は樹脂成形品であるので、支持筒部３０のうち内側傾斜リブ３２が設けられた部分で発生する樹脂のヒケによる外観不良を、外側リブ３１によって目立たなくすることができる。
【００２４】
また、外側リブ３１の支持筒部３０からの突出量は、環状段差部１８より外側にはみ出さない高さになっている。従って、前後方向から見たとき、外側リブ３１は、円筒壁１６の内側に収まるように配置される。これにより、本実施形態のロール保持盤１０は、保護プレート１１同士を重ねるようにして段積みすることが可能となっている。具体的には、図５に示すように、下側に配置された保護プレート１０の支持筒部３０を、上側に配置された保護プレート１０の円筒壁１６内に挿入して、保護プレート１０同士が段積みされる。このとき、支持筒部３０の外側リブ３１と円筒壁１６の補強リブ１６Ｌとが干渉する虞があるが、本実施形態では、外側リブ３１が補強リブ１６Ｌに対して周方向でずれた位置に配置されることで、補強リブ１６Ｌと外側リブ３１の干渉を避けるようになっている。
【００２５】
図６には、使用状態のロール保持盤１０が示されている。ロール保持盤１０を使用する場合、図７及び図８に示すように、ロール９０の両端部で、ロール９０の芯材９１に支持筒部３０を挿入し、ロール９０の端面を保護プレート１１にて覆う。そして、保護プレート１１を起立させた状態にすると、支持筒部３０にて芯材９１の端部が内側から支持され、図６に示すように、２つのロール保持盤１０によってロール９０が浮いた状態に支持される。なお、支持筒部３０はロール９０から負荷を受けることになるが、本実施形態では、テーパ壁３５によって支持筒部３０の先端部の補強が図られている。
【００２６】
ここで、図７及び図８に示すように、ロール保持盤１０がロール９０に取り付けられると、芯材９１と環状段差部１８とが当接する。なお、図７及び図８の例では、ロール９０は、芯材９１の軸長がロール本体９２の軸長よりも長くなって、芯材９１がロール本体９２の両端から突出した構成になっているが、芯材９１の軸長とロール本体９２の軸長が一致する場合には、環状段差部１８が芯材９１と当接することにより、ロール９０の端面が保護プレート１１の主板１２と接触することが防がれる。
【００２７】
ところで、ロール保持盤１０によって支持されたロール９０を移動させる場合に、以下のように、吊上シャフト８０を用いることがある。即ち、一方のロール保持盤１０のシャフト挿入孔２０から吊上シャフト８０を挿入して、ロール９０（芯材９１）の内側と他方のロール保持盤１０のシャフト挿入孔２０とに吊上シャフト８０を貫通させ、吊上シャフト８０の両端を持ち上げることでロール９０を移動させる。
【００２８】
図７には、シャフト挿入孔２０に後方から吊上シャフト８０が挿入されるときの様子が示されている。ここで、上述したように、円筒壁１６内に設けられた複数の補強リブ１６Ｌの後端部には、テーパ部１６Ｋが形成されているので、吊上シャフト８０をシャフト挿入孔２０に挿入するときに、吊上シャフト１６が円筒壁１６の開口縁と当接しても、吊上シャフト８０は、テーパ部１６Ｋによってシャフト挿入孔２０の奥側へと案内される。
【００２９】
吊上シャフト８０が保護プレート１１を貫通して支持筒部３０内に進入すると、図９（Ａ）に示すように、吊上シャフト８０は、内側傾斜リブ３２の後方傾斜部３２Ｂによってシャフト挿入孔２０の中心軸側へと案内される。即ち、本実施形態では、内側傾斜リブ３２の後方傾斜部３２Ｂを案内にして吊上シャフト８０を挿入することができる。ここで、内側傾斜リブ３２は、頂点部３２Ａにてテーパ壁３５の窄まった側の端部に連絡するので、内側傾斜リブ３２に案内された吊上シャフト８０は、テーパ壁３５と干渉することなくテーパ壁３５の内側を通過する。このように、本実施形態では、内側傾斜リブ３２が、後端傾斜部３２Ｂによって、シャフト挿入孔２０に後方から挿入される吊上シャフト８０をテーパ壁３５の内側に案内するようになっている。
【００３０】
ここで、吊上シャフト８０が周方向で隣り合う内側傾斜リブ３２，３２同士の間に一部挟まった状態で挿入されると、吊上シャフト８０がテーパ壁３５と干渉するという問題が生じ得る。この問題を解決するために、本実施形態のロール保持盤１０では、テーパ壁３５に、以下に説明する工夫が施されている。
【００３１】
即ち、図１０に示すように、テーパ壁３５の後端部のうち、周方向で隣り合う内側傾斜リブ３２の頂点部３２Ａ同士の間に挟まれた部分には、全ての内側傾斜リブ３２の頂点部３２Ａ同士を連絡する円筒面Ｌ１よりも外側に凹んだ逃がし部３６が設けられている。本実施形態では、逃がし部３６は、円筒面Ｌ１よりも小径な円筒面Ｌ２の一部を構成する円弧面になっている。従って、吊上シャフト８０の径が円筒面Ｌ２の径より大きい場合には、図１１に示すように、吊上シャフト８０が周方向で隣り合う内側傾斜リブ３２，３２同士の間に一部挟まった状態で挿入されても、吊上シャフト８０がテーパ壁３５と干渉することが防がれる。言い換えれば、逃がし部３６を構成する円筒面Ｌ２を吊上シャフト８０より小径にすることで、吊上シャフト８０とテーパ壁３５との干渉が防がれる。
【００３２】
このように、本実施形態では、テーパ壁３５に逃がし部３６を設けたことで、吊上シャフト８０が周方向で隣り合う内側傾斜リブ３２，３２同士の間に一部挟まった状態で挿入されても、吊上シャフト８０とテーパ壁３５の干渉を抑えることが可能となる。
【００３３】
図８には、シャフト挿入孔２０に前方から吊上シャフト８０を挿入するときの様子が示されている。吊上シャフト８０を前方から挿入するときには、図９（Ｂ）に示すように、吊上シャフト８０は、テーパ壁３５によってシャフト挿入孔２０の後側へと案内される。
【００３４】
なお、ここで、シャフト挿入孔２０に前方から吊上シャフト８０が挿入される場合、吊上シャフト８０は、芯材９１内を通過してくるので、吊上シャフト８０の先端部が作業者に見えず、また、吊上シャフト８０の先端が吊上シャフト８０を挿入する作業者から遠くに離れているので、吊上シャフト８０の操作が困難となり、吊上シャフト８０が支持筒部３０の前端部に衝突し易い。しかしながら、本実施形態では、上述したように、テーパ壁３５によって支持筒部３０の前端部の補強が図られているので、支持筒部３０の破損が抑えられる。
【００３５】
ロール保持盤１０の構成に関する説明は、以上である。本実施形態のロール保持盤１０では、テーパ壁３５によって、支持筒部３０の前端部が補強することができる。しかも、シャフト挿入孔２０に前方から吊上シャフト８０が挿入されるときには、テーパ壁３５を案内にして吊上シャフト８０を挿入することができる。また、シャフト挿入孔２０の後方から吊上シャフト８０が挿入されるときには、内側傾斜リブ３２の後方傾斜部３２Ｂを案内にして吊上シャフト８０を挿入することができる。ここで、内側傾斜リブ３２は、シャフト挿入孔２０の後方から挿入される吊上シャフト８０をテーパ壁３５の内側に案内するので、後方から挿入された吊上シャフト８０がテーパ壁３５と干渉することが防がれる。このように、本実施形態によれば、テーパ壁３５及び内側傾斜リブ３２を案内にして、吊上シャフト８０の挿入を容易に行うことが可能となる。しかも、テーパ壁３５を、支持筒部３０の補強と吊上シャフト８０のガイドとの両方に用いることができる。
【００３６】
［第２実施形態］
以下、本発明の第２実施形態を図１２〜図１３に基づいて説明する。本実施形態は、上記第１実施形態を変形したものであり、主として、保護プレートの構造が異なっている。具体的には、図１２及び図１３に示すように、本実施形態のロール保持盤１０Ｖの保護プレート１１Ｖは、上記第１実施形態で説明した環状段差部１８（図４参照）の代わりに、フランジ部１９を備えている。このフランジ部１９は、主板１２の中央円形孔１２Ａの開口縁から内側に張り出している点では、環状段差部１８と共通しているが、主板１２と面一である点が異なっている。なお、本実施形態では、支持筒部３０はフランジ部１９から突出している。
【００３７】
また、本実施形態では、支持筒部３０の外側リブ３１の突出量は、フランジ部１９の外側にはみ出さない高さとなっている。従って、本実施形態のロール保持盤１０Ｖは、上記第１実施形態と同様に、段積み可能となっている（図１３参照）。
【００３８】
ロール保持盤１０Ｖのその他の構成については、上記第１実施形態と同様になっているので、同一符号を付すことで説明を省略する。本実施形態のロール保持盤１０Ｖによれば、上記第１実施形態と同様の効果を奏することができる。
【００３９】
［第３実施形態］
以下、本発明の第３実施形態を図１４〜図１６に基づいて説明する。図１４に示すように、本実施形態のロール保持盤１０Ｗでは、支持筒部３０Ｗの内側に、上記第１実施形態の内側傾斜リブ３２と同様の構造をしたガイドリブ４２を備えている。具体的には、図１５に示すように、ガイドリブ４２は、支持筒部３０Ｗの前端寄り位置に頂点部４２Ａを有し、頂点部４２Ａより後側と前側とに、頂点部４２Ａへ近づくにつれて突出量が大きくなった後方傾斜部４２Ｂと前方傾斜部４２Ｃを備えている。
【００４０】
また、支持筒部３０Ｗの前端寄り位置には、内周面３０Ｍから突出して複数のガイドリブ４２を横切る環状リブ４５が設けられ、これにより、支持筒部３０Ｗの前端部の補強が図られている。詳細には、環状リブ４５は、支持筒部３０Ｗの軸方向でガイドリブ４２の頂点部４２Ａと同じ位置に配置され、環状リブ４５の突出量は、ガイドリブ４２の頂点部４２Ａと同じ高さになっている。即ち、環状リブ４５の突出量は、複数のガイドリブ４２を越えない高さとなっている。
【００４１】
なお、環状リブ４５のうち周方向で隣り合うガイドリブ４２の頂点部４２Ａ同士に挟まれた部分には、上記第１実施形態のテーパ壁３５の逃がし部３６と同様の逃がし部４６が設けられている。具体的には、逃がし部４６は、全てのガイドリブ４２の頂点部４２Ａを連絡する円筒面よりも外側に凹んだ円弧面となっている。
【００４２】
ロール保持盤１０Ｗのその他の構成については、上記第１実施形態と同様になっているので、同一符号を付すことで説明を省略する。即ち、本実施形態のロール保持盤１０Ｗは、上記第１実施形態のロール保持盤１０において、テーパ壁３５の代わりに環状リブ４５を備えた構造となっている。
【００４３】
図１６（Ａ）及び図１６（Ｂ）には、ロール保持盤１０Ｗのシャフト挿入孔２０に吊上シャフト８０が挿入される様子が示されている。吊上シャフト８０をシャフト挿入孔２０の後方から挿入する場合には、図１６（Ａ）に示すように、ガイドリブ４２の後方傾斜部４２Ｂを案内にして、吊上シャフト８０をシャフト挿入孔２０に挿入することができる。また、吊上シャフト８０をシャフト挿入孔２０の前方から挿入する場合には、図１６（Ｂ）に示すように、ガイドリブ４２の前方傾斜部４２Ｃを案内にして、吊上シャフト８０シャフト挿入孔２０に挿入する事ができる。
【００４４】
ここで、本実施形態では、環状リブ４５は、複数のガイドリブ４２を越えないように突出しているので、ガイドリブ４２によって案内された吊上シャフト８０が環状リブ４５と干渉することが防がれる。このように、本実施形態によれば、環状リブ４５によって支持筒部３０の補強を図ると共に、吊上シャフトの挿入を容易に行うことが可能となる。
【００４５】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００４６】
（１）図１７（Ａ）に示すように、上記第１実施形態において、円筒壁１６の内側に補強リブ１６Ｌを設けずに、内側傾斜リブ３２を、円筒壁１６の内側まで延ばした構成としてもよい。また、本構成を、上記第２、第３実施形態に適用してもよい。なお、上記第１〜第３実施形態の構成によれば、ロール保持盤１０〜１０Ｗを段積みすることができる。
【００４７】
（２）図１７（Ｂ）に示すように、内側傾斜リブ３２を台形状としてもよい。この場合、頂点部３２は、テーパ壁３５の後端部から支持筒部３０の後側に延びた構成となる。
【００４８】
（３）上記第１、第２実施形態では、テーパ壁３５に設けられた逃がし部３６は、円筒面の一部を構成する円弧面で構成されていたが、例えば、図１８に示すように、複数の平面で構成されてもよい。また、本構成を、第３実施形態の逃がし部４６に適用してもよい。
【００４９】
（４）上記第３実施形態において、ガイドリブ４２は、図１９（Ａ）に示すように、台形状であってもよいし、図１９（Ｂ）に示すような形状であってもよい。
【００５０】
（５）上記第３実施形態及び上記（４）の構成では、環状リブ４５の突出量は、ガイドリブ４２の頂点部４２Ａの高さと同じであったが、頂点部４２Ａより低くてもよい。
【符号の説明】
【００５１】
１０，１０Ｖ，１０Ｗ    ロール保持盤
１１，１１Ｖ    保護プレート
１６    円筒壁
２０    シャフト挿入孔
３０，３０Ｗ    支持筒部
３１    外側リブ
３２    内側傾斜リブ
３５    テーパ壁
３６    逃がし部
４２    ガイドリブ
４５    環状リブ
【図１】
2015183820.tif 000003
【図２】
2015183820.tif 000004
【図３】
2015183820.tif 000005
【図４】
2015183820.tif 000006
【図５】
2015183820.tif 000007
【図６】
2015183820.tif 000008
【図７】
2015183820.tif 000009
【図８】
2015183820.tif 000010
【図９】
2015183820.tif 000011
【図１０】
2015183820.tif 000012
【図１１】
2015183820.tif 000013
【図１２】
2015183820.tif 000014
【図１３】
2015183820.tif 000015
【図１４】
2015183820.tif 000016
【図１５】
2015183820.tif 000017
【図１６】
2015183820.tif 000018
【図１７】
2015183820.tif 000019
【図１８】
2015183820.tif 000020
【図１９】
2015183820.tif 000021